(57)【要約】【課題】音圧レベルの弱い視聴領域が生じないように視聴領域を拡大したマルチスピーカタイプのスピーカボックスを提供する。【解決手段】スピーカボックス２０を、上側が開放され下側が閉塞され、内部に４個のスピーカ４を収納する逆截頭八角錐の半割形状を呈するスピーカボックス本体２１と、このスピーカボックス本体２１の上側開口部２３を覆う蓋体２２とで構成する。スピーカボックス本体２１は、外側からそれぞれスピーカ４が取付けられる４つの逆台形状の板２６ａ〜２６ｄを一連に形成してなる逆截頭八角錐の半割形状を呈するスピーカ取付板２６と、このスピーカ取付板２６の背部を覆う逆台形状の背面板２７と、この背面板２７とスピーカ取付板２６の下側開口部を覆う底板２８とで構成し、内部空間を仕切板３０によって左右対称な２つの空間に仕切る。【選択図】  図３
2006304189.tif 000002
【特許請求の範囲】
【請求項１】
上側が開放され下側が閉塞され、内部に複数個のスピーカを収納する多角形のスピーカボックス本体と、このスピーカボックス本体の上側開口部を覆う蓋体とを備え、
前記スピーカボックス本体は、それぞれスピーカが取付けられる４つの台形状の板を一連に形成してなる截頭八角錐の半割形状を呈するスピーカ取付板と、このスピーカ取付板の背部を覆う台形状の背面板と、この背面板と前記スピーカ取付板の下側開口部を覆う底板と、この底板と前記スピーカ取付板および前記背面板とによって形成される内部空間を左右対称な２つの空間に仕切る仕切板とによって一体に形成され、
前記蓋体は、前記底板と相似形でかつこれより大きい正八角形の半割形状に形成されているスピーカボックス。
【請求項２】
前記仕切板は、その断面形状が前記背面板より前記スピーカ取付板に向かうにしたがって幅が漸次狭くなるとともに、基端より先端に向かうにしたがって幅が漸次狭くなるように形成されている請求項１記載のスピーカボックス。
【請求項３】
請求項１記載のスピーカボックスを２つ備え、これらのスピーカボックスを背中合わせに結合することにより截頭八角錐に形成したことを特徴とするスピーカボックス。
【請求項４】
上側が開放され下側が閉塞され、内部に複数個のスピーカを収納する多角形のスピーカボックス本体と、このスピーカボックス本体の上側開口部を覆う蓋体とを備え、
前記スピーカボックス本体は、それぞれスピーカが取付けられる８つの台形状の板を一連に形成してなる截頭八角錐を呈するスピーカ取付板と、このスピーカ取付板の下側開口部を覆う正八角形の底板と、この底板と前記スピーカ取付板とによって形成される内部空間を４つの空間に仕切る仕切板とによって一体に形成され、
前記蓋体は、前記底板と相似形でかつこれより大きい正八角形に形成されていることを特徴とするスピーカボックス。
【請求項５】
前記仕切板は、平面視十字状に形成することにより４つの板部で構成され、これらの板部は、その断面形状が前記底板の中央より前記スピーカ取付板に向かうにしたがって幅が漸次狭くなるとともに、基端より先端に向かうにしたがって幅が漸次狭くなるように形成されている請求項４記載のスピーカボックス。
【請求項６】
請求項４記載のスピーカボックスを複数個備え、これらのスピーカボックスを連結部材により上下方向に一連に連結したことを特徴とするスピーカボックス。
【発明の詳細な説明】
【技術分野】
【０００１】
本発明は、スピーカボックスに関し、特にマルチスピーカ構成を採用し音を広い視聴範囲にわたって放射させることができるスピーカボックスに関するものである。
【背景技術】
【０００２】
スピーカボックスとしては、通常断面形状が四角形、五角形等の多角形に形成され、その内部に所要個数のスピーカを組み込んだものが一般的である（例えば、特許文献１〜４参照）。
【０００３】
このうち、特に複数個のスピーカを収納して視聴領域を拡大させるようにしたスピーカボックスとしては、例えば図１１〜図１３に示すスピーカボックスが知られている。すなわち、図１１は断面形状が正四角形のスピーカボックス１内に２つのスピーカ４Ａ，４Ｂを、その音響軸６Ａ，６Ｂを水平方向に９０°回転させて収納し、スピーカボックス１１の隣り合う２つのバッフル板５ａ，５ｂ（交叉角９０°）に取付けたものである。図１２は断面形状が正五角形のスピーカボックス２内に同じく２つのスピーカ４Ａ，４Ｂを、その音響軸６Ａ，６Ｂを水平方向に７２°回転させて収納し、隣り合う２つのバッフル板５ａ，５ｂ（交叉角１０５°）に取付けたものである。図１３は断面形状が正六角形のスピーカボックス３内に同じく２つのスピーカ４Ａ，４Ｂを、その音響軸６Ａ，６Ｂを水平方向に６０°回転させてスピーカボックス３の隣り合う２つのバッフル板５ａ，５ｂ（交叉角１２０°）に取付けたものである。スピーカ４Ａ，４Ｂとしては、水平方向の指向特性が６０°のものを使用している。
【０００４】
【特許文献１】特開平１１−２２５３８９号公報
【特許文献２】特開２０００−０７８６８２号公報
【特許文献３】特開２０００−１２５３８１号公報
【特許文献４】特開平１１−９８５８８号公報
【発明の開示】
【発明が解決しようとする課題】
【０００５】
しかしながら、上記した従来のスピーカボックス１〜３においては、各スピーカ４Ａ，４Ｂから放射された音が重なり合わないため、両スピーカ４Ａ，４Ｂによる音場（音放射域）間に音の谷間（音圧レベルの弱い視聴領域）ができ、視聴位置が限定されるという問題があった。すなわち、図１１に示すスピーカボックス１の場合は、各スピーカ４Ａ，４Ｂから放射される音の音響軸６Ａ，６Ｂが９０°の角度をもって交差しているため、２つの音放射域７Ａ，７Ｂが重ならず、その間に音圧レベルの弱い視聴領域（斜線部）８Ａが生じる。
【０００６】
同様に、図１２および図１３に示すスピーカボックス２，３においても、音圧レベルの弱い視聴領域（斜線部）８Ｂ，８Ｃが生じる。
【０００７】
本発明は上記したような従来の問題を解決するためになされたもので、その目的とするところは、比較的簡単な構造で音圧レベルの弱い視聴領域が生じることがなく、視聴領域を拡大することができるようにしたスピーカボックスを提供することにある。
【課題を解決するための手段】
【０００８】
上記目的を達成するために第１の発明は、上側が開放され下側が閉塞され、内部に複数個のスピーカを収納する多角形のスピーカボックス本体と、このスピーカボックス本体の上側開口部を覆う蓋体とを備え、前記スピーカボックス本体は、それぞれスピーカが取付けられる４つの台形状の板を一連に形成してなる截頭八角錐の半割形状を呈するスピーカ取付板と、このスピーカ取付板の背部を覆う台形状の背面板と、この背面板と前記スピーカ取付板の下側開口部を覆う底板と、この底板と前記スピーカ取付板および前記背面板とによって形成される内部空間を左右対称な２つの空間に仕切る仕切板とによって一体に形成され、前記蓋体は、前記底板と相似形でかつこれより大きい正八角形の半割形状に形成されているものである。
【０００９】
また、第２の発明は、前記仕切板が、その断面形状が前記背面板より前記スピーカ取付板に向かうにしたがって幅が漸次狭くなるとともに、前記底板側の基端より先端に向かうにしたがって幅が漸次狭くなるように形成されているものである。
【００１０】
また、第３の発明は、第１の発明のスピーカボックスを２つ備え、これらのスピーカボックスを背中合わせに結合することにより截頭八角錐に形成したものである。
【００１１】
また、第４の発明は、上側が開放され下側が閉塞され、内部に複数個のスピーカを収納する多角形のスピーカボックス本体と、このスピーカボックス本体の上側開口部を覆う蓋体とを備え、前記スピーカボックス本体は、それぞれスピーカが取付けられる８つの台形状の板を一連に形成してなる截頭八角錐を呈するスピーカ取付板と、このスピーカ取付板の下側開口部を覆う正八角形の底板と、この底板と前記スピーカ取付板とによって形成される内部空間を４つの空間に仕切る仕切板とによって一体に形成され、前記蓋体は、前記底板と相似形でかつこれより大きい正八角形に形成されているものである。
【００１２】
また、第５の発明は、前記仕切板が、平面視十字状に形成することにより４つの板部で構成され、これらの板部は、その断面形状が前記底板の中央より前記スピーカ取付板に向かうにしたがって幅が漸次狭くなるとともに、基端より先端に向かうにしたがって幅が漸次狭くなるように形成されているものである。
【００１３】
さらに、第６の発明は、前記第４の発明のスピーカボックスを複数個備え、これらのスピーカボックスを連結部材により上下方向に一連に連結したものである。
【発明の効果】
【００１４】
第１の発明においては、４つの台形状の板を一連に形成してなる截頭八角錐の半割形状を呈するスピーカ取付板を備え、各台形状の板に音の水平方向の指向特性が例えば６０°のスピーカを取付けると、隣り合うスピーカの音放射域が互いに重なり合って、音圧レベルの弱い視聴領域が生じることがなく、壁面に設置した場合、スピーカボックスを球心とする半球円の１／２の音場を作り出すことができる。
【００１５】
第２の発明においては、仕切板によってスピーカボックス本体内を２つの空間に仕切っているので、スピーカどうしの音の干渉を抑制する。また、仕切板の断面形状を背面板よりスピーカ取付板に向かうにしたがって幅が漸次狭くなるとともに、基端より先端に向かうにしたがって幅が漸次狭くなるように形成しているので、スピーカの駆動時に固有振動が発生せず、スピーカボックスへの影響を抑える。さＲに、仕切板の断面形状としては、両側面を凸状に湾曲するような形状に形成すると、固有振動をより一層抑制することができる。
【００１６】
第３、第４の発明においては、スピーカボックスが截頭八角錐で、スピーカ取付板が８つの台形状の板で構成されており、各台形状の板に音の水平方向の指向特性が例えば６０°のスピーカを取付けると、隣り合うスピーカの音放射域が互いに重なり合って、音圧レベルの弱い視聴領域が生じることがない。したがって、スピーカボックスを天井に取付けた場合、スピーカボックスを球心とする半球形の音場を作り出すことができる。
【００１７】
第５の発明においては、仕切板によってスピーカボックス本体内を４つの空間に仕切っているので、スピーカどうしの音の干渉を抑制する。また、スピーカボックス本体内を４つの空間に仕切ると、内部の平行面を減らすことができるため、スピーカの駆動時に定在波が立ち難く、したがって、定在波による周波数特性の劣化を防止し、スピーカ本来の特性に近づけることができる。
また、仕切板を、平面視十字状に形成することにより４つの板部で構成し、これらの板部の断面形状を、底板の中央よりスピーカ取付板に向かうにしたがって幅が漸次狭くなるとともに、基端より先端に向かうにしたがって幅が漸次狭くなるように形成しているので、スピーカの駆動時に固有振動が発生せず、スピーカボックスへの影響を抑制する。さらに、仕切板の断面形状としては、両側面を凸状に湾曲するような形状に成形すると、固有振動をより一層抑えることができる。
【００１８】
第６の発明は、第４の発明のスピーカボックスを複数個備えているので、大音量の音を放射することができ、野外の演奏会場、ドーム球場などに用いて好適である。
【発明を実施するための最良の形態】
【００１９】
以下、本発明を図面に示す実施の形態に基づいて詳細に説明する。
図１は本発明に係るスピーカボックスの一実施の形態の蓋体を取り除いた平面図、図２はスピーカボックス本体と蓋体の背面図、図３は同スピーカボックスの一部を破断して示す分解斜視図である。本実施の形態は、スピーカボックス２０を壁面１１に取付けた例を示している。また、図３においては、２つのスピーカボックス２０をそれぞれ単体で使用する場合と、背中合わせに結合して天井に取付けて使用する場合の例を図示している。
【００２０】
これらの図において、全体を符号２０で示すスピーカボックスは、スピーカボックス本体２１と、このスピーカボックス本体２１の上側開口部２３を閉塞する蓋体２２とで構成され、壁面１１に２本のボルト２４とナット２５によって固定されている。
【００２１】
前記スピーカボックス本体２１は、アルミニウム合金等によってダイキャスト成形によって一体に形成されることにより、正八角錐の頂部側をあたかも切断するとともに、対向する任意の２つの角部と中心軸線を含む面に沿って２等分に分割した形状（以下、截頭八角錐の半割形状という）を呈し、上側が開放し下側が閉塞し、内部に４つのスピーカ４を収納している。この場合、スピーカボックス本体２１は、上側と下側の輪郭形状が正八角形の半割形状ではあるが、上側の輪郭形状が下側の輪郭形状より大きいため、厳密には逆截頭八角錐の半割形状となっている。ただし、スピーカボックス２０の使用形態によっては上下逆にして用いることもあるので、本発明においては、截頭八角錐と逆截頭八角錐を厳密には区別せず、截頭八角錐が逆截頭八角錐を含む広い用語として截頭八角錐を用いることもある。
【００２２】
前記スピーカボックス本体２１の上側開口部２３は、正八角形の半割形状を呈している。なお、正八角形の半割形状とは、正八角形を互いに対向する任意の２つの角部を結ぶ対角線に沿って切断した形状をいう。
【００２３】
さらに、スピーカボックス本体２１の構造等を詳述すると、このスピーカボックス本体２１は、スピーカ４がそれぞれ取付けられる４つの台形状（逆台形状）の板（バッフル板）２６ａ〜２６ｄを一連に形成してなる截頭八角錐の半割形状を呈するスピーカ取付板２６と、このスピーカ取付板２６の背部を覆う台形状（逆台形状）の背面板２７と、この背面板２７と前記スピーカ取付板２６の下側開口部を覆う底板２８と、この底板２８と前記スピーカ取付板２６および前記背面板２７とによって形成される内部空間２９を仕切る仕切板３０とで構成されている。スピーカボックス本体２１の上側の内周縁側には、前記蓋体２２が嵌め込まれる凹部３１が形成されている。この凹部３１は、スピーカボックス本体２１の上側開口部２３より若干大きい正八角形の半割形状を呈する。
【００２４】
前記スピーカ取付板２６の各板２６ａ〜２６ｄの中央には、放音孔３３がそれぞれ形成されており、これらの放音孔３３に前記スピーカ４がスピーカボックス本体２１の外側（または内側）からそれぞれ取付けられ、表面側をネット３４によって覆っている。スピーカ取付板２６は截頭八角錐の半割形状を呈しているため、４つの板２６ａ〜２６ｄのうち両側の板２６ａ，２６ｄと背面板２７との交差角度αはそれぞれ７０°、互いに隣り合う２つの板２６ａと２６ｂ、２６ｂと２６ｃ、２６ｃと２６ｄどうしの交差角度βはそれぞれ１３５°である。また、各板２６ａ〜２６ｄの垂直方向の傾斜角度θは３０°である。
【００２５】
前記スピーカ４としては、水平、垂直方向の指向特性がともに６０°で、全音域タイプのスピーカが用いられる。また、各スピーカ４は、スピーカボックス本体２１内に組み込まれた状態で、その音響軸１６Ａ〜１６Ｄが各板２６ａ〜２６ｄに対して垂直で、垂直面との交差角度γは６０°である。
【００２６】
前記背面板２７の内面には、半円筒形のボス部３６と左右一対のボルト取付部３７が一体に突設されている。ボス部３６は、背面板２７の中央に位置し、スピーカボックス本体２１の内部側に凸となるように形成されている。このボス部３６は、２つのスピーカボックス２０，２０を互いに背中合わせに結合して天井に取付けるときに、ボルト３９（図３）の取付部として用いられるものである。前記一対のボルト取付部３７は、それぞれ背面板２７の表面および上面に開放するＴ字状の溝３８を有し、壁面１１に背面板２７を固定するとき、前記ボルト２４の頭部またはナットが高さ調整可能に挿入される。
【００２７】
前記仕切板３０は、前記底板２８の中央と、前記ボス部３６と、隣り合う２つの板２６ｂと２６ｃとの接合部を連結することにより、スピーカボックス本体２１の内部空間２９を左右対称な２つの空間２９ａ，２９ｂに仕切っている。仕切板３０の断面形状としては、ボス部３６よりスピーカ取付板２６に向かうにしたがって幅が漸次狭くなるように形成されている。また、仕切板３０の基端、すなわち底板２８側端より先端（スピーカボックス本体２１の上側開口部２３）に向かうにしたがって幅が漸次狭くなるように形成されている。このように仕切板３０の断面形状を先細のテーパ状にすると、仕切板３０の固有振動を抑制することができ、スピーカボックス２０への影響を少なくすることができる。この場合、仕切板３０の左右両側面を平面に形成したが、凸曲面に形成しておくと、仕切板３０の固有振動をより一層抑制することができる。
【００２８】
また、仕切板３０の先端面の適宜箇所には、スピーカ４の接続線４０を両空間２９ａ，２９ｂに導くための接続線用溝部４１と、蓋体２２を固定するための止めねじ４２がねじ込まれるねじ孔４３が形成されている。なお、接続線４０の一端は各スピーカ４の端子に接続され、他端側はスピーカボックス本体２１の適宜箇所に設けられる入力端子（図示せず）に接続されている。
【００２９】
前記蓋体２２は、アルミニウム合金等によって前記底板２８と相似形でかつこれより大きい正八角形の半割形状に形成されている。このような蓋体２２は、スピーカボックス本体２１の上面に形成されている凹部３１に嵌め込まれ、複数個の止めねじ４２によって固定されることにより、スピーカボックス本体２１の上側開口部２３を機密に密閉している。これによりスピーカボックス２０は、ダクトレスの密閉型エンクロージャーを構成している。
【００３０】
このようなスピーカボックス２０において、各スピーカ４を駆動すると、これらのスピーカから出た音は指向特性が６０°の角度をもって斜め下方に放射される。また、左右両側に位置する２つのスピーカ４から放射された音のうち、特に壁面側の音ＢＬ，ＡＬは、壁面１１と略平行に進む。したがって、壁面１１による音響的な影響は少ない。
【００３１】
ここで、本実施の形態においては、スピーカボックス本体２１を截頭八角錐の半割形状に形成し、スピーカ４をスピーカ取付板２６の各板２６ａ〜２６ｄにそれぞれ取付けているので、隣り合う２つのスピーカ４の音響軸１６Ａと１６Ｂ、１６Ｂと１６Ｃ、および１６Ｃと１６Ｄの交差角度をそれぞれ４５°とすることができる。これにより隣り合うスピーカ４の音放射域Ｒ1 とＲ2 ，Ｒ2 とＲ3 ，Ｒ3 とＲ4 が点Ｐ1 〜Ｐ3 でそれぞれ交差して互いに重なり合う。交点Ｐ1 〜Ｐ3 は、スピーカボックス２０の中心（ボス部３６の中心）より辺までの距離を２３０ｍｍとした場合、スピーカボックス２０の中心からおよそ４４０ｍｍの位置である。このように２つの音放射域が互いに重なり合うと、その領域（重畳領域）Ｘ1 ，Ｘ2 ，Ｘ3 では音圧レベルが音響的に若干増幅される。例えば、音放射域Ｒ1 とＲ2 の音圧レベルがそれぞれ１００ｄＢとすると、これらの音放射域が重なり合う交点Ｐ1 以降の重畳領域Ｘ1 （Ｘ2 ，Ｘ3 も同様）においては、音圧レベルが１０３ｄＢに増幅される。したがって、音圧レベルの弱い音場が生じず、視聴領域を拡大することができ、スピーカボックス２０を壁面１１に取付けた場合、スピーカボックス２０より下方に半球円の略１／２の音場を作り出すことができる。
【００３２】
また、図３に示す２つのスピーカボックス２０，２０の背面板２７どうしを互いに密接させて一体的に結合することにより逆截頭八角錐のスピーカボックスとし、このスピーカボックスを天井に取付けた場合は、合計８個のスピーカ４が逆截頭八角錐を形成するスピーカ取付板２６，２６の各板２６ａ〜２６ｄにそれぞれ取付けられるので、スピーカボックスより下方に音圧レベルが略均一な半球形の音場を作り出すことができる。なお、２つのスピーカボックス２０，２０を結合するには、２つのスピーカボックス本体２１，２１の背面板２７を互いに密接させ、対向する２つのボルト取付部３７のＴ字状溝３８にＨ型の連結金具４４を挿入すればよい。
【００３３】
図４は本発明の他の実施の形態を示すスピーカボックスを天井に取付けた状態の断面図、図５は同スピーカボックスの一部を破断して示す分解斜視図、図６はスピーカボックス本体の平面図、図７は同スピーカボックスの底面図である。なお、上記した実施の形態と同一部品、部分については同一符号をもって示し、その説明を適宜省略する。これらの図において、本実施の形態で示すスピーカボックス５０は、スピーカボックス本体５１と、このスピーカボックス本体５１の上側開口部５２を機密に閉塞する蓋体５３とで構成され、天井板５４にボルト３９によって取付けられている。
【００３４】
前記スピーカボックス本体５１は、図３に示した截頭八角錐の半割構造からなる２つのスピーカボックス本体２１，２１を一体成形したものであり、８つの台形状（逆台形状）の板（バッフル板）５６ａ〜５６ｈを一連に形成してなる截頭（逆截頭）八角錐を呈するスピーカ取付板５６と、このスピーカ取付板５６の下側開口部を覆う正八角形の底板５７と、この底板５７と前記スピーカ取付板５６とによって形成される内部空間６０を４つの空間６０ａ〜６０ｄに仕切る仕切板６１とで構成されている。なお、このスピーカボックス本体５１は、図１に示したボルト取付部３７を備えていない。
【００３５】
前記スピーカ取付板５６の各板５６ａ〜５６ｈの中央には、放音孔３３がそれぞれ形成されており、これらの放音孔３３に前記スピーカ４がスピーカボックス本体５１の外側（または内側）からそれぞれ取付けられ、表面側をネット３４によって覆っている。スピーカ取付板５６は逆截頭八角錐を呈しているため、隣り合う２つの板５６ａと５６ｂ、５６ｂと５６ｃ、・・・５６ｇと５６ｈとの交差角度βはそれぞれ１３５°である。また、各板５６ａ〜２６ｈの垂直面に対する傾斜角度θは３０°である。スピーカ取付板５６の上面には、蓋体５３が嵌合する正八角形の凹部６３が形成されている。
【００３６】
前記底板５７の上面（内面）には前記仕切板６１と、円筒状のボス部６５が一体に突設されている。前記仕切板６１は、平面視形状が十字状に形成されることにより互いに直交する垂直な４つの板部６１〜６１ｄで構成されており、その中央に前記ボス部６５が設けられている。言い換えれば、ボス部６５と、このボス部６５の周囲に周方向に等配して放射状に延設した４つの板部６１ａ〜６１ｄとで仕切板６１を構成している。４つの板部のうち板部６１ａは２つの板５６ａと５６ｂとの接合部とボス部６５とを接続し、板部６１ｂは２つの板５６ｃと５６ｄとの接合部とボス部６５とを接続し、板部６１ｃは２つの板５６ｅと５６ｆとの接合部とボス部６５とを接続し、板部６１ｄは２つの板５６ｇと５６ｈとの接合部とボス部６５とを接続している。
【００３７】
板部６１ａ〜６１ｄの断面形状としては、ボス部６５よりスピーカ取付板５６に向かうにしたがって幅が漸次狭くなるように形成されている。また、各板部６１ａ〜６１ｄの基端、すなわち底板５７側端より先端（スピーカボックス本体５１の上側開口部５２）に向かうにしたがって幅が漸次狭くなるように形成されている。このように各板部６１ａ〜６１ｄの断面形状を先細のテーパ状にすると、仕切板６１の固有振動を抑制することができ、スピーカボックス５０への影響を少なくすることができる。また、各板部６１ａ〜６１ｄの左右両側面を図６に示すように凸状に湾曲した曲面に形成しておくと、仕切板６１の固有振動をより一層抑制することができる。そして、各板部６１ａ〜６１ｄの先端面の適宜箇所には、スピーカ４の接続線を隣り合う空間６０ａ〜６０ｄに導くための接続線用溝部４１と、蓋体５３を固定するための止めねじ４２がねじ込まれるねじ孔４３が形成されている。
【００３８】
前記ボス部６５は、底板５７の上面中央に一体に突設されて上下に開放し、スピーカボックス５０の天井板５４への取付時に前記ボルト３９が挿入され、天井板５４にねじ込まれる。
【００３９】
前記蓋体５３は、スピーカボックス本体５１と同様にアルミニウム合金等によって正八角形に形成され、前記凹部６３に上方から嵌め込まれ、複数本の止めねじ４２によって固定されることにより、スピーカボックス本体２１の上側開口部５２を気密に閉塞している。これによりスピーカボックス５０は、ダクトレスの密閉型エンクロージャーを構成している。蓋体５３の中央には、前記ボルト３９が貫通するボルト用孔６６が形成されている。
【００４０】
このような構造からなるスピーカボックス５０によれば、図３に示した逆截頭八角錐の半割構造からなる２つのスピーカボックス本体２１を背中合わせに結合することにより逆截頭八角錐としたスピーカボックスと同様に、音圧レベルの弱い音放射域が生じず、天井板５４の下方に音圧レベルが略均一な半球形の音場を作り出すことができる。
【００４１】
また、スピーカボックス本体５１の内部空間６０を平面視十字状の仕切板６１によって４つの空間６０ａ〜６０ｄに仕切っているので、スピーカ４どうしの音の干渉を抑えることができ、またスピーカボックス本体５１内に互いに対向する平行面が存在しなくなるため、スピーカ４の駆動時に定在波が立ち難く、したがって定在波により共鳴などを起こすことがなく、スピーカボックス５０の音響特性が向上され、スピーカ本来の音を楽しむことができる。
【００４２】
さらに、仕切板６１を構成する４つの板部６１ａ〜６１ｄの断面形状を、ボス部６５よりスピーカ取付板５６に向かうにしたがって幅が漸次狭くなるように形成するとともに、各板部６１ａ〜６１ｄの基端より先端に向かうにしたがって幅が漸次狭くなるようにしているので、スピーカ４の駆動時に仕切板６１が固有振動を起こさず、スピーカボックス５０への影響を最小限に抑えることができる。
【００４３】
図８は本発明の他の実施の形態を示す外観斜視図である。
この実施の形態は、図４〜図７に示したスピーカボックス５０を交互に上下反転させて６個重ね合わせ、連結部材７０によって一連に連結することにより、マルチタイプのスピーカボックス８０を構成したものである。連結部材７０としてはロッド等が用いられ、各スピーカボックス５０のボス部６５（図６参照）を貫通することにより、全てのスピーカボックス５０を連結している。
【００４４】
このようなスピーカボックス８０によれば、大音量の音を球状に放射できるため、野外の広い円形会場等に用いて好適である。
【００４５】
図９は本発明の他の実施の形態を示す外観斜視図である。
この実施の形態は、２つのスピーカボックス５０，５０を互いに底板が密接するように重ね合わせて連結部材８０によって一体的に連結することによりスピーカユニット９０とし、さらにこのスピーカユニット９０を複数個吊り下げることにより、全体として１つのスピーカボックス９２を構成したものである。各スピーカユニット９０の連結部材８０は、２つのスピーカボックス５０のボス部６５を貫通し、フック９１によって連結されている。
【００４６】
このような構造からなるスピーカボックス９２によれば、図８に示したスピーカボックス８０と同様に大音量の音を球状に放射することができるため、例えばドーム状の球場の天井に吊り下げて用いて好適である。
【００４７】
図１０は本発明のさらに他の実施の形態を示す外観斜視図である。
この実施の形態は、図４〜図７に示したスピーカボックス５０を上下方向を全て一致させて５個重ね合わせ、連結部材１００によって一連に連結し、マルチタイプのスピーカボックス１０１を構成したものである。
【００４８】
このようなスピーカボックス１０１においても、大音量の音を放射し半球状の音場を作り出すことができるため、ドーム状の球場の天井に吊り下げて用いると好適である。
【産業上の利用可能性】
【００４９】
本発明はいずれもダクトレスのスピーカボックス２０，５０に適用した例について説明したが、これに限らず再生音の低域を拡張するためにバスレフレックス型（位相反転型）としたスピーカボックスにも適用することができる。
【図面の簡単な説明】
【００５０】
【図１】本発明に係るスピーカボックスの一実施の形態の蓋体を取り除いた平面図である。
【図２】スピーカボックス本体と蓋体の背面図である。
【図３】同スピーカボックスの一部を破断して示す分解斜視図である。
【図４】本発明の他の実施の形態を示すスピーカボックスを天井に取付けた状態の断面図である。
【図５】同スピーカボックスの一部を破断して示す分解斜視図である。
【図６】スピーカボックス本体の平面図である。
【図７】同スピーカボックスの底面図である。
【図８】本発明の他の実施の形態を示す外観斜視図である。
【図９】本発明の他の実施の形態を示す外観斜視図である。
【図１０】本発明の他の実施の形態を示す外観斜視図である。
【図１１】従来のスピーカ装置を示す図で、正四角形のスピーカボックスに２つのスピーカを収納した時の音の放射域を説明するための図である。
【図１２】従来のスピーカ装置を示す図で、正五角形のスピーカボックスに２つのスピーカを収納した時の音の放射域を説明するための図である。
【図１３】従来のスピーカ装置を示す図で、正六角形のスピーカボックスに２つのスピーカを収納した時の音の放射域を説明するための図である。
【符号の説明】
【００５１】
４…スピーカ、２０…スピーカボックス、２１…スピーカボックス本体、２２…蓋体、２３…上側開口部、２６…スピーカ取付板、２６ａ〜２６ｄ…板、２７…背面板、２８…底板、２９…内部空間、３０…仕切板、５０…スピーカボックス、５１…スピーカボックス本体、５２…上側開口部、５３…蓋体、５６…スピーカ取付板、５６ａ〜５６ｈ…板、
５７…底板、６０…内部空間、６１…仕切板、６１ａ〜６１ｄ…板部。
【図１】
2006304189.tif 000003
【図２】
2006304189.tif 000004
【図３】
2006304189.tif 000005
【図４】
2006304189.tif 000006
【図５】
2006304189.tif 000007
【図６】
2006304189.tif 000008
【図７】
2006304189.tif 000009
【図８】
2006304189.tif 000010
【図９】
2006304189.tif 000011
【図１０】
2006304189.tif 000012
【図１１】
2006304189.tif 000013
【図１２】
2006304189.tif 000014
【図１３】
2006304189.tif 000015